(57)【特許請求の範囲】
【請求項１】
制御チャネルリソースを決定するための方法であって、
基地局によって送信され、下りリンクデータチャネルのスケジューリング情報を運ぶ下りリンク制御チャネルを検出するステップであり、該下りリンク制御チャネルは少なくとも１つの制御チャネル論理要素によって形成され、前記少なくとも1つの制御チャネル論理要素は少なくとも1つのアンテナポートにマップされる、検出ステップと、
成功裏に検出された前記下りリンク制御チャネルの第１の制御チャネル論理要素に対応する第１のアンテナポートのアンテナポート情報とオフセットと、前記第１の制御チャネル論理要素のシーケンス番号情報と、を取得するステップと、
前記シーケンス番号情報と、前記アンテナポート情報と前記オフセットと、に従って、第１の制御チャネルリソースを決定するステップであり、前記第１の制御チャネルリソースは、前記成功裏に検出された下りリンク制御チャネルに対応する下りリンクデータチャネルに関する確認（ACK）／非確認（NACK）情報をフィードバックするために使用される、決定ステップと、を含む方法。
【請求項２】
請求項１に記載の方法であって、前記シーケンス番号情報は、前記第１の制御チャネル論理要素における先頭の制御チャネル論理要素のシーケンス番号、または、前記第１の制御チャネル論理要素における別の制御チャネル論理要素のシーケンス番号、を含む方法。
【請求項３】
請求項１または２に記載の方法であって、前記アンテナポート情報は少なくとも、前記第１のアンテナポートのシーケンス番号と前記少なくとも１つのアンテナポートのアンテナポート数量とのうちの１つ、を含む方法。
【請求項４】
請求項１乃至３のいずれか１つに記載の方法であって、
前記少なくとも１つの制御チャネル論理要素は、前記少なくとも１つのアンテナポートにおける物理リソースブロックにマッピングされ、
前記シーケンス番号情報を取得するステップは、
前記第１の制御チャネル論理要素と前記物理リソースブロックとの間の、予め定義された、または、通知される、マッピング関係に従って、前記シーケンス番号情報を取得するステップを含み、および／または、
前記アンテナポート情報を取得するステップは、
前記第１の制御チャネル論理要素と前記物理リソースブロックとの間の、前記予め定義された、または、通知される、マッピング関係に従って、前記アンテナポート情報を取得するステップを含む、方法。
【請求項５】
請求項１乃至４のいずれか１つに記載の方法であって、前記オフセットは、前記基地局によって動的に通知されるか、または、上位レイヤによって準静的に構成される、方法。
【請求項６】
請求項５に記載の方法であって、前記オフセットは、ユーザ装置と前記ユーザ装置のセルとのうちの少なくとも１つ、に関して設定される、方法。
【請求項７】
請求項２乃至６のいずれか１つに記載の方法であって、さらに、
空間直交リソース送信ダイバーシティ（SORTD）スキームを使って前記ACK/NACK情報を送信するとき、前記第１の制御チャネル論理要素における前記先頭の制御チャネル論理要素の次の制御チャネル論理要素のシーケンス番号と、前記第１のアンテナポートの次の第２のアンテナポートのシーケンス番号と、のうちの少なくとも１つに従って、前記ACK/NACK情報をフィードバックするために使用される第２の制御チャネルリソースを決定するステップを含む方法。
【請求項８】
請求項１乃至７のいずれか１つに記載の方法であって、前記アンテナポートは、復調参照信号（DMRS)アンテナポートである、方法。
【請求項９】
制御チャネルリソースを決定するためのユーザ装置であって、
基地局によって送信され、下りリンクデータチャネルのスケジューリング情報を運ぶ下りリンク制御チャネルを検出するように構成された検出モジュールであり、前記下りリンク制御チャネルは、少なくとも１つの制御チャネル論理要素で形成され、前記少なくとも１つの制御チャネル論理要素は、少なくとも１つのアンテナポートにマップされる、検出モジュールと、
成功裏に検出された前記下りリンク制御チャネルの第１の制御チャネル論理要素に対応する第１のアンテナポートのアンテナポート情報とオフセットと、前記第１の制御チャネル論理要素のシーケンス番号情報と、を取得するように構成された取得モジュールと、
前記シーケンス番号情報と、前記取得モジュールによって取得された前記アンテナポート情報と前記オフセットと、に従って第１の制御チャネルリソースを決定するように構成された第１の決定モジュールであり、前記第１の制御チャネルリソースは、前記成功裏に検出された下りリンク制御チャネルに対応する下りリンクデータチャネルに関する確認（ACK）／非確認（NACK）情報をフィードバックするために使用される、第１の決定モジュールと、を含むユーザ装置。
【請求項１０】
請求項９に記載のユーザ装置であって、前記シーケンス番号情報は、前記第１の制御チャネル論理要素における先頭の制御チャネル論理要素のシーケンス番号、または、前記第１の制御チャネル論理要素における別の制御チャネル論理要素のシーケンス番号、を含む、ユーザ装置。
【請求項１１】
請求項９または１０に記載のユーザ装置であって、前記アンテナポート情報は少なくとも、前記第１のアンテナポートのシーケンス番号と前記少なくとも１つのアンテナポートのアンテナポート数量とのうちの１つ、を含む、ユーザ装置。
【請求項１２】
請求項９乃至１１のいずれか１つに記載のユーザ装置であって、前記検出モジュールは、具体的に、前記基地局によって送信された前記下りリンク制御チャネルを検出するように構成され、前記少なくとも１つの制御チャネル論理要素は前記少なくとも１つのアンテナポートにおける物理リソースブロックにマップされ、
前記取得モジュールは、具体的に、前記第１の制御チャネル論理要素と前記物理リソースブロックとの間の、予め定義された、または、通知される、マッピング情報に従って、前記シーケンス番号情報を取得し、および／または、前記取得モジュールは、具体的に、前記第１の制御チャネル論理要素と前記物理リソースブロックとの間の、予め定義された、または、通知される、マッピング情報に従って、前記アンテナポート情報を取得するように構成された、ユーザ装置。
【請求項１３】
請求項９乃至１２のいずれか１つに記載のユーザ装置であって、前記取得モジュールは、具体的に、前記アンテナポート情報と前記オフセットとのうちの少なくとも１つ、を取得するように構成され、前記オフセットは、前記基地局によって動的に通知されるか、上位レイヤによって準静的に構成される、ユーザ装置。
【請求項１４】
請求項９乃至１３のいずれか１つに記載のユーザ装置であって、前記取得モジュールは、具体的に、前記アンテナポート情報と前記オフセットとのうちの少なくとも１つ、を取得するように構成され、前記オフセットは、前記ユーザ装置と前記ユーザ装置のセルとのうちの少なくとも１つ、に関して設定される、ユーザ装置。
【請求項１５】
請求項９乃至１４のいずれか１つに記載のユーザ装置であって、さらに、
前記ACK/NACK情報が、空間直交リソース送信ダイバーシティ（SORTD）スキームを使って送信されるとき、前記第１の制御チャネル論理要素における前記先頭の制御チャネル論理要素の次の制御チャネル論理要素のシーケンス番号と、前記第１のアンテナポートの次の第２のアンテナポートのシーケンス番号と、のうちの少なくとも１つに従って、前記ACK/NACK情報をフィードバックするために使用される第２の制御チャネルリソースを決定するように構成された第２の決定モジュールを含むユーザ装置。
【請求項１６】
請求項９乃至１５のいずれか１つに記載のユーザ装置であって、前記アンテナポートは、復調参照信号（DMRS）アンテナポートである、ユーザ装置。
【発明の詳細な説明】
【技術分野】
【０００１】
本発明は、通信の分野に関し、特に、制御チャネルリソースを決定するための方法及びユーザ装置に関する。
【背景技術】
【０００２】
３G移動通信システムの長期的高度化システム（Long  Term  Evolution、略して「LTE」）のリリース8/9/10（Release  8/9/10、略して「Rel-8/9/10」）通信システムは、動的スケジューリング技術（dynamic  scheduling  technology）を用いて通信システムの性能を改善している。すなわち、基地局（Evolved  NodeB、略して「eNB」）は、各ユーザ装置（User  Equipment、略して「UE」）のチャネル状態に従ってスケジュールし、リソースを割り当て、各々のスケジュールされたユーザ装置が最適なチャネル上で送信を実行できるようにする。下りリンクの送信において、eNBは、動的スケジューリングの結果に従って、物理下りリンク共有チャネル（Physical  Downlink  Shared  Channel、略して「PDCCH」）と、対応する物理下りリンク制御チャネル（Physical  Downlink  Control  Channel、略して「PDCCH」）を、各々のスケジュールされたユーザ装置に送信する。PDSCHは、スケジュールされたユーザ装置にeNBから送られたデータを運び、PDCCHは、主に、対応するPDSCH送信フォーマット、すなわち、リソース割当て、トランスポートブロックサイズ、変調及び符号化スキーム、送信ランク、プリコーディング行列情報、等を含むスケジューリング情報、を示すために使われる。
【０００３】
PDCCH及びPDSCHは1つのサブフレームに時分割多重される。したがって、１つのサブフレームでサポートできるPDCCHの数は限られている。言い換えると、基地局によってスケジュールできるユーザ装置の数は限られている。PDCCHの限られた容量は、LTE  Rel-10通信システムの更なる高度化においてより深刻である。特に、高度化システム（evolved  system）は一般に、多重入力多重出力（Multiple  Input  Multiple  Output、略して「MIMO」）技術を使って通信システムのスペクトラム効率を上げる。これは、基地局によって同時にスケジュールされるユーザ装置の数量が増えること、そして、したがって、より多くのPDCCHが必要となることを意味する。加えて、高度化システムにおいて考えられている重要なシナリオは、異機種ネットワーク（heterogeneous  network）である。このシナリオの具体的な実現方法は以下の通りである。マクロ基地局に加えて、複数の遠隔無線ユニット（Remote  Radio  Unit、略して「RRU」）がマクロセルの範囲内に設定される。RRUはマクロセルのセル識別子と同じセル識別子を持つ。そして、PDCCHは復調参照信号（Demodulation  Reference  Signal、略して「DMRS」）ベースの送信方法を用いるので、各RRUは、何台かのユーザ装置に対して、独立してサービスを提供することができる。しかし、各RRUは、ユーザ装置にとって透過的（transparent）である。したがって、このシナリオにおいて、基地局のよってスケジュールされるユーザ装置の数量は、大いに増大する。そして、それに応じて、必要とされるPDCCHの容量もまた増大する。
【０００４】
したがって、通信システムは、既存のPDCCHを拡張する。すなわち、もともとのPDSCH領域からいくらかのリソースを分割して、拡張PDCCH、すなわち、拡張物理下りリンク制御チャネル（Enhanced  Physical  Downlink  Control  Channel、略して「E-PDCCH」）を送信する。このように、制御チャネルに割り当てられるリソースは非常に柔軟である。そして、PDCCHの容量は拡張される。加えて、E-PDCCHはまた、DMRSベースの送信方法を利用して、制御チャネルの送信効率を改善するために空間（space）が再利用されるようにすることもでき得る。たとえば、異なるRRUの下で動作中のユーザ装置の制御チャネルは、制御チャネルが空間的に隔てられている限り、同じ時間周波数リソースを占有することができる。
【０００５】
LTE  Rel-8/9/10通信システムにおいて、通信システムの性能を向上させるために、ハイブリッド自動再送要求（Hybrid  Automatic  Repeat  Request、略して「HARQ」）技術が一般的に使われる。そして、HARQ技術は、高度化通信システム、例えば、LTE  Rel-11において適用され続ける。動的にスケジュールされるユーザ装置は、上りリンク確認（Acknowledgement略して「ACK」）／非確認（Non-Acknowledgement、略して「NACK」）情報を、eNBにフィードバックする必要があるので、動的にスケジュールされるユーザ装置は、上りリンクACK/NACK情報をフィードバックするために使われるリソースを決定する必要がある。動的スケジューリングおよびリソース利用のランダム性を考慮すると、上りリンクACK/NACK情報をフィードバックするために使われるリソースは、準静的予約方法を利用するのではなく、むしろ、動的予約方法を利用して予約される必要がある。すなわち、リソースは、PDSCHがスケジュールされたときにだけ予約される。したがって、HARQ技術を利用する通信システムにとって、解決されるべき技術的課題は、ユーザ装置がE-PDCCHおよびPDSCHを検出した後、どのようにして、上りリンクACK/NACK情報をフィードバックするために使われるリソースを決定するか、ということである。
【０００６】
関連する技術として、PDCCHおよびPDSCHが一緒に多重化される場合、すなわち、PDCCHが拡張されない場合、ACK/NACK情報は、物理上りリンク制御チャネル（Physical  Uplink  Control  Channel、略して「PUCCH」）上で符号分割多重化を用いてフィードバックされる。すなわち、各ユーザ装置は、時間−周波数二次元スペクトラム拡散のシーケンスを用いてACK/NACK情報を変調し、そして、変調したACK/NACK情報を送信する。各々の動的にスケジュールされたユーザ装置にとって、上りリンクACK/NACK情報をフィードバックするために使われるリソースは、PDCCHの制御チャネル要素（Control  Channel  Element、略して「CCE」）のシーケンス番号によって暗黙的に決定される。
【０００７】
しかし、PDCCH、E-PDCCH、およびPDSCHが一緒に多重化される場合、もし、それでも、上りリンクACK/NACK情報をフィードバックするために使われるリソースをCCEのシーケンス番号を用いて決定する方法が使われると、異なるRRUの下でDMRSベースの送信方法を使ったE-PDCCHが、同じ時間周波数リソースを占有するかもしれない。そして、異なるDMRSポート、異なるE-PDCCHが、同じ制御チャネル論理番号またはシーケンス番号を持つであろう。したがって、これは、異なるユーザ装置間で、ACK/NACK情報をフィードバックするために使うリソースについての衝突という問題の原因となり得る。すなわち、２以上のユーザ装置が同じリソースを占有し、それによって、異なるユーザ装置間のACK/NACK情報上に干渉を与える。
【発明の概要】
【０００８】
したがって、本発明の実施例は、上りリンクACK/NACK情報をフィードバックするために使われるリソースが動的に決定され、且つ、異なるユーザ装置間のリソースの衝突の問題が回避できるように、制御チャネルリソースを決定するための方法及びユーザ装置を提供する。
【０００９】
一つの観点において、本発明の一実施例は、制御チャネルリソースを決定するための方法を提供する。該方法は、基地局によって送信され、下りリンクデータチャネルのスケジューリング情報を運ぶ下りリンク制御チャネルを検出するステップであり、下りリンク制御チャネルは少なくとも1つの制御チャネル論理要素によって形成され、該少なくとも1つの制御チャネル論理要素は、少なくとも1つのアンテナポートにマップされる、検出ステップと、成功裏に検出された下りリンク制御チャネルの第１の制御チャネル論理要素に対応する第１のアンテナポートのアンテナポート情報とオフセットのうちの少なくとも１つと、第１の制御チャネル論理要素のシーケンス番号情報と、を取得するステップと、シーケンス番号情報と、アンテナポート情報とオフセットのうちの少なくとも１つ、に従って第１の制御チャネルリソースを決定するステップであり、第１の制御チャネルリソースは、成功裏に検出された下りリンク制御チャネルに対応する下りリンクデータチャネルに関するACK/NACK情報をフィードバックするために使われる、決定ステップと、を含む。
【００１０】
別の観点において、本発明の一実施例は、制御チャネルリソースを決定するためのユーザ装置を提供する。ユーザ装置は、基地局によって送信され、下りリンクデータチャネルのスケジューリング情報を運ぶ下りリンク制御チャネルを検出する検出器であり、下りリンク制御チャネルは、少なくとも1つの制御チャネル論理要素から形成され、少なくとも1つの制御チャネル論理要素は少なくとも1つのアンテナポートにマップされる、ように構成された検出モジュールと、成功裏に検出された下りリンク制御チャネルの第１の制御チャネル論理要素に対応する第１のアンテナポートのアンテナポート情報とオフセットのうちの少なくとも１つと、第１の制御チャネル論理要素のシーケンス番号情報、を取得するように構成された取得モジュールと、取得モジュールによって取得された、シーケンス番号情報と、少なくとも１つのアンテナポート情報と、オフセットとに従って、第１の制御チャネルリソースを決定するように構成された第１の決定モジュールであり、第１の制御チャネルリソースは、成功裏に検出された下りリンク制御チャネルに対応する下りリンクデータチャネルに関するACK/NACK情報をフィードバックするために使われる、第１の決定モジュールと、を含む。
【００１１】
上述の技術的ソリューションに基づいて、本発明の実施例に従った方法およびユーザ装置を使うことにより、ACK/NACK情報をフィードバックするために使われる制御チャネルリソースは、制御チャネル論理要素のシーケンス番号情報とともに、制御チャネル論理要素に対応するアンテナポートのアンテナポート情報とオフセットのうちの少なくとも１つ、に従って動的に決定されることができる。そして、異なる制御チャネルリソースが、異なるユーザ装置のために決定されることができる。このようにして、異なるユーザ装置間の制御チャネルリソース上の衝突の問題が回避できる。
【図面の簡単な説明】
【００１２】
本発明の実施例における技術的ソリューションをより明確に説明するために、以下は、本発明の実施例を説明するために必要となる添付図を紹介するものである。一見してわかるとおり、以下の説明のおける添付図は、本発明の単なる実施例を示すものであり、当業者であれば、創造的労力を要することなく、これらの添付図から他の図を導出し得る。
【図１】本発明の一実施例に従ったPDCCH及びPDSCHの多重化を示す概略図
【図２】本発明の一実施例に従った送信ランクが２のときのDMRSの概略図
【図３】本発明の一実施例に従った制御チャネルリソースを決定するための方法の概略フローチャート
【図４】本発明の他の実施例に従った制御チャネルリソースを決定するための方法の概略フローチャート
【図５】本発明の一実施例に従った制御チャネル論理要素と物理リソースブロックとの間のマッピング関係の概略図
【図６】本発明の一実施例に従ったACK/NACK情報の送信を示す概略図
【図７】本発明の他の実施例に従った制御チャネル論理要素と物理リソースブロックとの間のマッピング関係の概略図
【図８】本発明の一実施例に従った制御チャネルリソースを決定するためのユーザ装置の概略ブロック図
【図９】本発明の他の実施例に従った制御チャネルリソースを決定するためのユーザ装置の開略ブロック図
【発明を実施するための形態】
【００１３】
以下は、本発明の実施例における添付図を参照しながら、本発明の実施例における技術的ソリューションを明らかに且つ完全に説明するものである。一見してわかるとおり、説明される実施例は、本発明の実施例の全てではなく、単なる一部である。当業者が、本発明の実施例に基づいて、創造的努力なしに得ることができる全ての他の実施例は、本発明の保護の範囲内に入るべきである。
【００１４】
本発明の技術的ソリューションは、移動通信用グローバルシステム（Global  System  of  Mobile  communication、略して「GSM（登録商標）」）システム、符号分割多元接続（Code  Division  Multiple  Access、略して「CDMA」）システム、広帯域符号分割多元接続（Wideband  Code  Division  Multiple  Access、略して「WCDMA（登録商標）」）システム、一般パケット無線サービス（General  Packet  Radio  Service、略して「GPRS」）システム、長期的高度化システム（Long  Term  Evolution、略して「LTE」）システム、LTE周波数分割複信（Frequency  Division  Duplex、略して「FDD」）システム、LTE時分割複信（Time  Division  Duplex、略して「TDD」）システム、ユニバーサル移動通信システム（Universal  Mobile  Telecommunication  System、略して「UMTS」）等のいろいろな通信システムにおいて適用できる、ということは理解されるべきである。
【００１５】
また、本発明の実施例において、端末デバイスはまた、ユーザ装置（User  Equipment、略して「UE」）、移動局（Mobile  Station、略して「MS」）、移動端末（Mobile  Terminal）、等と称され得、端末デバイスは、無線アクセスネットワーク（Radio  Access  Network、略して「RAN」）を介して１以上のコアネットワークと通信することができる、ということも理解されるべきである。例えば、端末デバイスは、携帯電話（または、セルラ電話）、または移動端末を備えたコンピュータであり得る。例えば、端末デバイスはまた、携帯移動デバイス、ポケット移動デバイス、ハンドヘルド移動デバイス、コンピュータの内蔵移動デバイス、または、車載移動デバイス、であり得、無線アクセスネットワークと音声および／またはデータを交換し得る。
【００１６】
本発明の実施例において、基地局は、GSMまたはCDMAにおける基地局（Base  Transceiver  Station、略して「BTS」）、または、WCDMAにおける基地局（NodeB、略して「NB」）、または、LTEにおける高度化基地局（Evolutional  Node  B、略して「eNBまたはe-NodeB」）であり得る。本発明の実施例は、基地局およびユーザ装置についていかなる制限も設定しない。しかし、説明上の便宜のため、以下の実施例では、eNBおよびUEを例として用いる。
【００１７】
図１は、本発明の一実施例に従ったPDCCHおよびPDSCHの多重化を示す概略図である。図１（Ａ）に示されるように、PDCCHおよびPDSCHは、時分割多重化されて１つのサブフレームになる。一般性を失うことなく、ユニバーサルサイクリックプレフィックス（universal  cyclic  prefix）が、ここにおいて例として使われる。各サブフレーム（1  ms）には、２つのタイムスロットが含まれ、各タイムスロットには、７つの直交周波数分割多重化（Orthogonal  Frequency  Division  Multiplexing、略して「OFDM」）シンボルが含まれる。各OFDMシンボルには、NRB×12個のリソース要素（Resource  Element、略して「RE」）が含まれる。NRBはシステムの帯域幅に対応するリソースブロック（Resource  Block、略して「RB」）の数量を示す。PDCCHは、第１のタイムスロットの最初のｎ（n=1,  2,  3）OFDMシンボルにおいて送信される。nは変数であり、物理制御フォーマットインジケータチャネル（Physical  Control  Format  Indicator  Channel、略して「PCFICH」）によって示され得る。残りのOFDMシンボルはPDSCHを送信するために使われる。
【００１８】
下りリンクスケジューリングのために使われるPDCCHに加えて、PDCCH領域はさらに、上りリンクスケジューリングのために使われるPDCCHと、HARQを通して上りリンクACK/NACK情報を送信するために使われる物理ハイブリッドARQインジケータチャネル（Physical  Hybrid  ARQ  Indicator  Channel、略して「PHICH」）と、および、PDCCH領域に含まれるOFDMシンボルの数を示すために使われるPCFICHと、を含む。以下の説明において、そのように特定されない限りは、PDCCHは、常に下りリンクスケジューリングのために使われる。各PDCCHは、1/2/4/8個の制御チャネル要素（Control  Channel  Element、略して「CCE」）によって形成される。各CCEは、36個のREによって形成され、各PDCCHを形成するCCEの数は、PDCCHのサイズと、PDCCHに対応するユーザ装置のチャネル情報とによって決まる。
【００１９】
PDCCH領域に含まれるREの数はPDCCHで使用されるOFDMシンボルの数によって制限される。加えて、もし、PDCCH領域のいくつかのREが、PCFICH、PHICH、および、上りリンクスケジューリングのために使われるPDCCHにおいて使用される必要があることがさらに考慮されるなら、残りのREの数が、下りリンクスケジューリングのために使われるPDCCHの数、すなわち、下りリンク方向においてスケジュールされるユーザ装置の数量、を制限する。そのため、PDCCHは拡張される。すなわち、いくらかのリソースが、E-PDCCHを送信するために、元のPDSCH領域から分割される。図１（Ｂ）に示されるように、PDCCH、E-PDCCH、および、PDSCHは、時分割多重化されて1つのサブフレームになる。このようにして、PDCCHの容量を増加することができる。そして一方、スケジュールされるユーザ装置の数量を増加することができる。
【００２０】
図２は、本発明の一実施例に従った送信ランクが２のDMRSの概略図である。図２に示されるように、スケジュールされたユーザ装置の送信ランクが１または２のとき、DMRSを送信するために、一対のリソースブロックの12個のREが使われる。そして、送信ランクが２のとき、２つのDMRSが符号分割多重化され、スケジュールされたユーザ装置の送信ランクが２より大きいとき、一対のリソースブロックの中の24個のREがDMRSを送信するために使われる。そして、複数のDMRSが時間−周波数分割多重化され符号分割多重化される。LTE  Rel-10通信システムの送信モード9はDMRSベースのPDSCH送信であるということ、すなわち、DMRSはユーザ装置によってスケジュールされたリソースブロックにおいて送信され、そして、各DMRSは1つのアンテナポートを定義し、PDSCHの各レイヤのデータは、対応するアンテナポートにマップされ、DMRSの数は、PDSCHのデータブロックレイヤの数、または、スケジュールされたユーザ装置の送信ランクに等しいということ、は理解されるべきである。
【００２１】
図３は、本発明の一実施例に従った制御チャネルリソースを決定するための方法１００の概略フローチャートである。図３に示されるように、方法１００は、以下のステップを含む：
Ｓ１１０：基地局によって送信され、下りリンクデータチャネルのスケジューリング情報を運ぶ下りリンク制御チャネルを検出するステップであり、下りリンク制御チャネルは少なくとも１つの制御チャネル論理要素によって形成され、少なくとも１つの制御チャネル論理要素は、少なくとも１つのアンテナポートにマップされる、検出ステップ。
【００２２】
Ｓ１２０：成功裏に検出された下りリンク制御チャネルの第１の制御チャネル論理要素に対応する第１のアンテナポートのアンテナ情報とオフセットのうちの少なくとも１つと、第１の制御チャネル論理要素のシーケンス番号情報と、を取得するステップ。
【００２３】
Ｓ１３０：シーケンス番号情報と、アンテナポート情報とオフセットのうちの少なくとも１つ、に従って、第１の制御チャネルリソースを決定するステップであり、第１の制御チャネルリソースは、成功裏に検出された下りリンク制御チャネルに対応する下りリンクデータチャネルに関してACK/NACK情報をフィードバックするために使われる、決定ステップ。
【００２４】
ACK/NACK情報をフィードバックするためにユーザ装置によって使用される制御チャネルリソースを動的に決定するために、ユーザ装置は、方法１００を実行することによって、そして、制御チャネル論理要素のシーケンス番号情報と、制御チャネル論理要素に対応するアンテナポート情報とオフセットのうちの少なくとも１つ、に従って、ACK/NACK情報をフィードバックするために使用する制御チャネルリソースを動的に決定し得る。加えて、異なる制御チャネルリソースは、異なるユーザ装置のために決定されることができる。このようにして、異なるユーザ装置間の制御チャネルリソースの衝突の問題を回避することができる。
【００２５】
図４は、本発明の他の実施例に従った、制御チャネルリソースを決定するための方法２００の概略フローチャートである。図４に示されるように、Ｓ２１０において、ユーザ装置は、基地局によって送信され、下りリンクデータチャネルのスケジューリング情報を運ぶ下りリンク制御チャネルを検出する。本発明の実施例において、下りリンク制御チャネルは、E-PDCCHを含み得る。下りリンクデータチャネルは、PDSCHを含み得る。E-PDCCHは、PDSCHのスケジューリング情報を運ぶ。E-PDCCHは、少なくとも１つの制御チャネル論理要素によって形成される。少なくとも１つの制御チャネル論理要素は少なくとも１つのアンテナポートにおける物理リソースブロックにマップされる。必要に応じて、１つのユーザ装置に対応する少なくとも１つの制御チャネル論理要素は、同じアンテナポートにマップされる。必要に応じて、アンテナポートはDMRSアンテナポートである。理解されるべきは、基地局によって送信されるE-PDCCH及びPDSCHは、少なくとも１つのスケジュールされたユーザ装置に関係するE-PDCCH及びPDSCHであるということであり、少なくとも１つのアンテナポートは少なくとも１つの制御チャネル論理要素に対応し、少なくとも１つの制御チャネル論理要素は、基地局によってスケジュールされた少なくとも１つのユーザ装置のE-PDCCHを形成する、ということである。
【００２６】
本発明の実施例において、E-PDCCHはPDSCH領域で送信されるため、E-PDCCHはまた、PDSCHのDMRSベースの送信方法と同様の送信方法を使用し得る。E-PDCCHは、PDSCHによって使用されるHARQ技術を使うことはできない。したがって、E-PDCCHは、PDSCHよりも高い送信性能が要求される。E-PDCCHの送信性能および送信効率を確実にするために、E-PDCCHによって占有されるリソースは可変であることが必要である。したがって、E-PDCCHの性能要求は、異なるチャネル状態、例えば、信号対雑音比率等、に応じた適応変調、そして／または、符号化、を実行することによって満足させることができる。加えて、異なるPDSCH送信方法に関して、E-PDCCHは異なるフォーマットを使用する。例えば、制御チャネルのデータブロックは異なる。したがって、E-PDCCHのリソースもまた、可変であることが必要である。
【００２７】
動的スケジューリングのランダム性により、ユーザ装置は、E-PDCCH上でブラインド検出を実行する必要がある。もし、E-PDCCHのリソースが、非常な柔軟さを持った可変であるとすると、ユーザのブラインド検出の複雑性は増大する。ブラインド検出の複雑さと、E-PDCCHの送信効率との間で妥協するために、E-PDCCHの粒度は定義され得る。そして、ここにおけるリソース粒度は、制御チャネル論理要素として定義され得る。E-PDCCHの制御チャネルフォーマット及びチャネル状態に従って、１個のE-PDCCHはMn個の制御チャネル論理要素によって形成されるように決定され得る。すなわち、Mn個の制御チャネル論理要素は、E-PDCCHのデータを運ぶ。ただし、n=0,1,...,N-1であり、Nは制御チャネル論理要素の集計レベルの数を示す。各E-PDCCHを形成する制御チャネル論理要素の数は、スケジュールされたユーザ装置によって使用される制御チャネルフォーマットとチャネル状態に関連する。そして、各E-PDCCHを形成するMn個の制御チャネル論理要素は、少なくとも１つのアンテナポートにおける１グループの物理リソースブロックにマップされる。理解されるべきは、本明細書における制御チャネル論理要素は仮想リソースブロックまたはCCEに関係する。
【００２８】
Ｓ２２０において、ユーザ装置は、シーケンス番号情報と、アンテナポート情報とオフセットのうちの少なくとも１つ、を取得する。必要に応じて、ユーザ装置は、予め定義された、または通知された、第１の制御チャネル論理要素と物理リソースブロックとの間のマッピング関係に従って、シーケンス番号情報、および／または、アンテナポート情報を取得する。
【００２９】
シーケンス番号情報は、第１の制御チャネル論理要素のシーケンス番号に関係する情報であり、第１の制御チャネル論理要素は、ユーザ装置によって成功裏に検出されたE-PDCCHを形成する。必要に応じて、シーケンス番号情報は、第１の制御チャネル論理要素における先頭の制御チャネル論理要素のシーケンス番号を含む。理解されるべきは、シーケンス番号情報はまた、第１の制御チャネル論理要素における別の制御チャネル論理要素のシーケンス番号、例えば、第１の制御チャネル論理要素における制御チャネルによって使用されるアンテナポートと関連する制御チャネル論理要素のシーケンス番号、を含み得る、ということである。シーケンス番号はまた、第１の制御チャネル論理要素における制御チャネル論理要素が配置されている仮想リソースブロックまたは物理リソースブロックのシーケンス番号であり得る。例えば、シーケンス番号は、第１の制御チャネル論理要素における第１の制御チャネル論理要素が配置されている仮想リソースブロックまたは物理リソースブロックのシーケンス番号、または、仮想リソースブロックまたは物理リソースブロックのシーケンス番号から変更されたシーケンス番号、であり得る。ここで、１つの物理リソースブロックまたは１つの仮想リソースブロックは、少なくとも１つの制御チャネル論理要素を含む。例えば、１つの物理リソースブロックまたは１つの仮想リソースブロックに含まれる制御チャネル論理要素の数は、１、２、３、または４である。
【００３０】
アンテナポート情報は、第１の制御チャネル論理要素に対応する物理リソースブロックが配置されている第１のアンテナポートの関連情報である。望ましくは、第１の制御チャネル論理要素における第１の制御チャネル論理要素に対応する物理リソースブロックが配置されている第１のアンテナポートの情報はまた、第１の制御チャネル論理要素の別の制御チャネル論理要素が存在している物理リソースブロックが配置されている第１のアンテナポートの情報であり得る。必要に応じて、アンテナポート情報は、少なくとも、第１のアンテナポートのシーケンス番号と、少なくとも１つのアンテナポートのアンテナポート数量、のうちの一つ、を含む。すなわち、アンテナポート情報は、第１のアンテナポートのシーケンス番号を含み、アンテナポート情報は、少なくとも１つのアンテナポートのアンテナポート数量を含み得る。アンテナポート情報はまた、第１のアンテナポートのシーケンス番号及び少なくとも１つのアンテナポートのアンテナポート数量を含み得る。
【００３１】
オフセットは、上位レイヤによって準静的に構成され得る。オフセットはまた、基地局によって動的に通知され得る。そして、オフセットは、ユーザ装置に関して設定され得る。すなわち、複数のユーザ装置のオフセットは、完全に同一ではない。オフセットはまた、ユーザ装置のセルに関して設定され得る。すなわち、１つのセル内のすべてのユーザ装置のオフセットは同一であり得る。オフセットはまた、ユーザ装置及びユーザ装置のセルに関して設定され得る。すなわち、オフセットは２つの部分を含む。第１の部分はユーザ装置に関して設定される。そして、第２の部分はユーザ装置のセルに関して設定される。
【００３２】
本発明の実施例は、図５に示されている本発明の一実施例に従った制御チャネル論理要素と物理リソースブロックとの間のマッピング関係を参照して、以下に説明される。
【００３３】
図５に示される通り、ユーザ装置は受信データ、すなわち、E-PDCCHによって運ばれ、DMRSアンテナポート７の物理リソースブロック６乃至２１から受信したデータ、を抽出する。ここで、物理リソースブロック６乃至２１は、E-PDCCHの仮想リソースブロック０乃至１５に対応する。ユーザ装置は、仮想リソースブロックにおけるE-PDCCH上でブラインド検出を実行して、ユーザ装置自身に対応するE-PDCCHを取得する。例えば、ユーザ装置１のE-PDCCHは仮想リソースブロック８乃至１５に対応し、ユーザ装置２のE-PDCCHは仮想リソースブロック４乃至５に対応し、ユーザ装置３のE-PDCCHは仮想リソースブロック０乃至３に対応し、ユーザ装置４のE-PDCCHは仮想リソースブロック７に対応する。
【００３４】
ユーザ装置は、成功裏に検出されたE-PDCCHに従って、E-PDCCHを形成する第１の仮想リソースブロック、すなわち、第１の制御チャネル論理要素が配置されている仮想リソースブロック、のシーケンス番号nVRBを決定する。ここで、nVRB=0,1,...,NVRB-1であり、NVRBは構成された仮想リソースブロックの数を示し、第１のアンテナポートのシーケンス番号nDMRSは第１の仮想リソースブロックがマップされた物理リソースに対応し、nDMRS=0,1,...,NDMRS-1であり、NDMRSは第１のアンテナポートの数を示し、例えば、DMRSアンテナポート７及び８のシーケンス番号nDMRSはそれぞれ０及び１である。例えば、図５に示された実施例において、ユーザ装置１の第１の仮想リソースブロックのシーケンス番号nVRBは８であり、ユーザ装置２の第１の仮想リソースブロックのシーケンス番号nVRBは４であり、ユーザ装置３の第１の仮想リソースブロックのシーケンス番号nVRBは０であり、ユーザ装置４の第１の仮想リソースブロックのシーケンス番号nVRBは７であり、構成された仮想リソースブロックの数NVRBは１６であり、第１のアンテナポートのシーケンス番号nDMRSは０であり、第１のアンテナポートの数NDMRSは１である。必要に応じて、第１の仮想リソースブロックのシーケンス番号はまた、第１の仮想リソースブロックに対応する物理リソースブロックのシーケンス番号を使用し得る。例えば、もし、ユーザ装置３の第１の仮想リソースブロックに対応する物理リソースブロックのシーケンス番号が６であるならば、第１の仮想リソースブロックのシーケンス番号は６であり得る。
【００３５】
Ｓ２３０において、ユーザ装置は、ACK/NACK情報をフィードバックするために使用する第１の制御チャネルリソースを決定する。必要に応じて、ユーザ装置は、取得したシーケンス番号情報およびアンテナポート情報に従って第１の制御チャネルリソースを決定し得る。必要に応じて、ユーザ装置は、取得したシーケンス番号情報およびオフセットに従って第１の制御チャネルリソースを決定し得る。必要に応じて、ユーザ装置は、取得したシーケンス番号情報、アンテナポート情報、およびオフセットに従って第１の制御チャネルリソースを決定し得る。例えば、ユーザ装置は、取得したシーケンス番号情報及びアンテナポート情報に従って、下記方程式（１）、方程式（２）を使って第１の制御チャネルリソースのシーケンス番号n1ACK/NACKを決定し得る。
【００３６】
n1ACK/NACK=nVRB×NDMRS＋nDMRS      （１）
n1ACK/NACK=nDMRS×NVRB＋nVRB        （２）
図５に示されたマッピング関係は、説明のための例としてさらに使用される。例えば、方程式（１）及び方程式（２）に従って、ユーザ装置１は、第１の制御チャネルリソースのシーケンス番号n1ACK/NACKを８に決定し、ユーザ装置２は、第１の制御チャネルリソースのシーケンス番号n1ACK/NACKを４に決定し、ユーザ装置３は、第１の制御チャネルリソースのシーケンス番号n1ACK/NACKを０に決定し、ユーザ装置４は、第１の制御チャネルリソースのシーケンス番号n1ACK/NACKを７に決定する。
【００３７】
したがって、本発明の実施例に従った方法を使うことにより、ACK/NACK情報をフィードバックするために使用される制御チャネルリソースは、制御チャネル論理要素のシーケンス番号情報と、制御チャネル論理要素に対応するアンテナポートのアンテナポート情報とオフセットのうちの少なくとも１つ、に従って、動的に決定することができる。加えて、異なる制御チャネルリソースは、異なるユーザ装置のために決定されることができる。このようにして、異なるユーザ装置間での制御チャネルリソース上の衝突の問題は回避できる。
【００３８】
本発明の実施例において、必要に応じて、ユーザ装置は、シーケンス番号情報と、アンテナポート情報とオフセットのうちの少なくとも１つ、に従って、ACK/NACK情報をフィードバックするために使用する第１の制御チャネルリソースを決定する。オフセットは、上位レイヤによって準静的に構成されるか、または、動的に通知され得る。オフセットは、ユーザ装置に関して設定され得る。すなわち、複数のユーザ装置のオフセットは完全に同一でなくてもよい。オフセットはまた、ユーザ装置のセルに関して設定され得る。すなわち、１つのセル内のすべてのユーザ装置のオフセットは同一であり得る。例えば、第１の制御チャネルリソースのシーケンス番号n1ACK/NACKは、オフセットN1ACK/NACKを含む方程式（３）または方程式（４）を使って決定することができる。
【００３９】
n1ACK/NACK=N1ACK/NACK＋nVRB×NDMRS＋nDMRS      （３）
n1ACK/NACK=N1ACK/NACK＋nDMRS×NVRB＋nVRB        （４）
理解されるべきは、PDCCH領域において送信される制御チャネルにとって、上りリンクACK/NACK情報をフィードバックするために使用される対応するリソースは、PDCCHの第１のCCEのシーケンス番号とオフセットN(1)PUCCHを使って決定される、ということである。もし、PDCCHとE-PDCCHに関するリソースと、上りリンクACK/NACK情報をフィードバックするために使用するリソースとが、連続して割り当てられるとしたら、これら２種類のリソース間の境界が決定される必要がある。すなわち、オフセットN1ACK/NACKが決定される必要がある。PDCCH領域におけるCCEの数は、PDCCHにおいて使用されるOFDMシンボルの数に関係しているので、N1ACK/NACKは、各サブフレームにおいて動的に、PDCCHのOFDMシンボルの数に従って決定され得る。ここで、N1ACK/NACKは、PDCCHに関するACK/NACK情報をフィードバックするために使われるリソースを決定するために使われるオフセットN(1)PUCCHと、PDCCH領域内のCCEの数量、を含む。PDCCHにおいて使用されるOFDMシンボルの数はPCFICHによって表されるので、ユーザ装置は、PCFICHを検出することによりPDCCHのOFDMシンボルの数を取得し、PDCCHにおいて使用されるCCEの数を計算し得る。すなわち、ユーザ装置は、対応するPDCCHのために確保された、および、ACK/NACK情報をフィードバックするための、リソースの数を決定する。このようにして、ユーザ装置は、ACK/NACK情報をフィードバックするために使用される次のリソースのシーケンス番号に従って、ACK/NACK情報をフィードバックするために使用される制御チャネルリソースのオフセットN1ACK/NACKを決定することができる。理解されるべきは、ユーザ装置が、ACK/NACK情報をフィードバックするために使用する第１の制御チャネルリソースを決定した後、上りリンクACK/NACK情報のフィードバックは符号分割多重化に基づいているので、各ユーザ装置によって決定された第１の制御チャネルリソースは、実際には、１つのリソースブロックにおける１つのスペクトラム拡散シーケンスである、ということである。ACK/NACK情報を使ってスペクトラム拡散シーケンスを変調後、ユーザ装置は、変調したスペクトラム拡散シーケンスをアンテナ越しに送信し、その結果、図６（Ａ）に示されるように上りリンクACK/NACK情報がフィードバックされる。
【００４０】
ユーザ装置がACK/NACK情報を空間直交リソース送信ダイバーシティ（Spatial  Orthogonal  Resource  Transmit  Diversity、略して「SORTD」）スキームを使って送信するとき、本発明の実施例に従った制御チャネルリソースを決定するための方法２００はさらに、以下のステップを含む。
【００４１】
Ｓ２４０：ユーザ装置は、ACK/NACK情報をフィードバックするために使用する第２の制御チャネルリソースを決定する。必要に応じて、ユーザ装置は、取得した第１の制御チャネル論理要素における第１の制御チャネル論理要素の次の制御チャネル論理要素のシーケンス番号と、第１のアンテナポートの次の第２のアンテナポートのシーケンス番号、のうちの少なくとも１つに従って、第２の制御チャネルリソースを決定し得る。
【００４２】
例えば、ユーザ装置は、第１の制御チャネル論理要素の次の制御チャネル論理要素のシーケンス番号だけでなく、第１のアンテナポートのアンテナポート情報及びオフセットの中の少なくとも１つに従って、第２の制御チャネルリソースを決定し得る。ユーザ装置はまた、第２のアンテナポートのシーケンス番号だけでなく、第１の制御チャネル論理要素のシーケンス番号情報及びオフセットの中の少なくとも１つに従って、第２の制御チャネルリソースを決定し得る。ユーザ装置はまた、第１の制御チャネル論理要素の次の制御チャネル論理要素のシーケンス番号及び第２のアンテナポートのシーケンス番号とに従って、または、第１の制御チャネル論理要素の次の制御チャネル論理要素のシーケンス番号と、第２のアンテナポートのシーケンス番号と、オフセットとに従って、第２の制御チャネルリソースを決定し得る。
【００４３】
理解されるべきは、第１の制御チャネルリソースを決定するのと同様に、ユーザ装置は、第１の制御チャネル論理要素の次の別の制御チャネル論理要素のシーケンス番号と、第１のアンテナポートの次の他のアンテナポートのシーケンス番号のうちの少なくとも１つ、に従って、ACK/NACK情報をフィードバックするために使用する第２の制御チャネルリソースを決定し得る、ということである。確かに、ユーザ装置はまた、第１の制御チャネル論理要素のシーケンス番号情報と、第１のアンテナポートのアンテナポート情報と、オフセット、のうちの少なくとも１つを参照することによって、第２の制御チャネルリソースを決定し得る。
【００４４】
具体的には、例えば、ユーザ装置は、第１の制御チャネル論理要素の次の第２の制御チャネル論理要素のシーケンス番号と、第１のアンテナポートのアンテナポート情報とに従って、ACK/NACK情報をフィードバックするために使用する第２の制御チャネルリソースを決定し得る。例えば、ユーザ装置は、下記方程式（５）または方程式（６）を使って、第２の制御チャネルリソースのシーケンス番号n2ACK/NACKを決定する。
【００４５】
n2ACK/NACK=N1ACK/NACK＋（nVRB＋１）×NDMRS＋nDMRS      （５）
n2ACK/NACK=N1ACK/NACK＋nDMRS×NVRB＋（nVRB＋１）        （６）
例えば、ユーザ装置はまた、第１のアンテナポートの次の第２のアンテナポートのシーケンス番号と、アンテナポート数量と、そして、第１の制御チャネル論理要素のシーケンス番号情報、に従って、ACK/NACK情報をフィードバックするために使用する第２の制御チャネルリソースを決定し得る。例えば、ユーザ装置は、下記方程式（７）または方程式（８）を使って、第２の制御チャネルリソースのシーケンス番号n2ACK/NACKを決定し得る。
【００４６】
n2ACK/NACK=N1ACK/NACK＋nVRB×NDMRS＋（nDMRS＋１）      （７）
n2ACK/NACK=N1ACK/NACK＋（nDMRS＋１）×NVRB＋nVRB        （８）
理解されるべきは、デュアルアンテナ送信ダイバーシティSORTDスキームを使用することにより、上りリンクACK/NACK情報のフィードバックの性能を拡張できるということである。ユーザ装置がSORTDを使用するとき、各アンテナは、スペクトラム拡散シーケンスを持つ必要があり、２つのアンテナにおけるスペクトラム拡散シーケンスは異なる。そして、ユーザ装置は、異なるアンテナにおいて同じACK/NACK信号を使用して、スペクトラム拡散シーケンスを変調し、変調したスペクトラム拡散シーケンスをこれら２つのアンテナにおいてそれぞれ送信する。このようにして、図６（Ｂ）に示されるように、上りリンクACK/NACK情報はフィードバックされる。
【００４７】
HARQの具体的な処理は以下のようであり得ることもまた理解されるべきである。下りリンクスケジューリングの間、ユーザ装置は、E-PDCCHと対応するPDSCHを検出する必要がある。もし、ユーザ装置が、E-PDCCHを成功裏に検出して、E-PDCCH内の情報に従って対応するPDSCHを復調すると、ユーザ装置は、PDSCHの復調結果を上りリンク方向にフィードバックする必要がある。もし、PDSCHが正しく復調されたら、ユーザ装置は、ACK情報をeNBにフィードバックして、ユーザ装置が送信されたデータを正しく受信したことを示し、eNBが新しいデータブロックを送信できるようにする。さもなければ、ユーザ装置は、NACK情報をeNBにフィードバックし、ユーザ装置がデータを正しく受信しなかったことを示す。そして、eNBはデータを再送する必要がある。もし、E-PDCCHが正しく検出されないと、ユーザ装置は、PDSCHがユーザ装置にスケジュールされていないと考える。そして、したがって、上りリンク方向に何のフィードバックも与えない。これは、非連続送信（Discontinuous  Transmission略して「DTX」）と呼ばれる。
【００４８】
理解されるべきは、上述の、処理のシーケンス番号は処理の実行順序を暗に意味するものではなく、処理の実行順序は処理の機能や内部論理に従って決定されるべきであり、そしてこのことは、本発明の実施例に従った実行プロセスを制限することを意図するものではない、ということである。
【００４９】
本発明の実施例が、図５に示された制御チャネル論理要素と物理リソースブロックとの間のマッピング関係を参照して、上記のとおり詳細に説明されてきた。理解されるべきは、図５に示された制御チャネル論理要素はセル特有（cell-specific）、すなわち、基地局が各セルに制御チャネル論理要素を割り当てるのであり、各セルの各スケジュールされたユーザ装置のE-PDCCHは、制御チャネル論理要素セットにおける少なくとも１つの制御チャネル論理要素に対応する、ということである。したがって、各ユーザ装置の成功裏に検出されたE-PDCCHを形成する第１の制御チャネル論理要素のシーケンス番号は異なる。本発明の実施例は、制御チャネル論理要素がセル特有な例を通して説明されているに過ぎず、本発明の実施例は、セル特有の制御チャネル論理要素に限定されない。
【００５０】
制御チャネル論理要素はまた、ユーザ装置特有（user  equipment-specific）であり得る。すなわち、基地局は、制御チャネル論理要素セットを各スケジュールされたユーザ装置に割り当て、各スケジュールされたユーザ装置のE-PDCCHは、各制御チャネル論理要素セットにおける少なくとも１つの制御チャネル論理要素に対応する。したがって、各ユーザ装置の成功裏に検出されたE-PDCCHを構成する第１の制御チャネル論理要素のシーケンス番号は同じか、または、別々であり得る。そして、異なるユーザ装置の物理リソースブロックは、図７に示されるように、重なり得るし、分離し得る。例えば、ユーザ装置１の物理リソースブロックは、部分的にユーザ装置２の物理リソースブロックと重なっているが、ユーザ装置１の物理リソースブロック及びユーザ装置２の物理リソースブロックは、ユーザ装置３の物理リソースブロックから完全に分離されている。この場合、ユーザ装置はまた、第１の制御チャネル論理要素のシーケンス番号情報や、第１のアンテナポートのアンテナポート情報や、オフセットに従って、ACK/NACK情報をフィードバックするために使用する第１または第２の制御チャネルリソースを決定することができる。ここで、オフセットは、ユーザ装置特有である。すなわち、基地局は、各ユーザ装置に対して個別にオフセットを構成し、ACK/NACK情報をフィードバックするために使用する第１または第２の制御チャネルリソースを決定する。この場合、オフセットは、上位レイヤの準静的構成方法を使って通知され得る。更に、ユーザ装置特有のオフセットに基づいて、ユーザ装置のセルに特有の別のオフセットがある。この場合、オフセットは２つの部分を含み、２つの部分の両方が上位レイヤの準静的構成方法を使って通知され得る。
【００５１】
したがって、本発明の実施例に従った制御チャネルリソースを決定する方法を使って、ACK/NACK情報をフィードバックするために使用する制御チャネルリソースは、制御チャネル論理要素のシーケンス番号情報だけでなく、制御チャネル論理要素に対応するアンテナポートのアンテナポート情報とオフセットのうちの少なくとも１つ、に従って、動的に決定されることができる。加えて、異なる制御チャネルリソースは、異なるユーザ装置のために決定され得る。このようにして、異なるユーザ装置間の制御チャネルリソース上の衝突の問題は回避できる。
【００５２】
本発明の実施例に従った制御チャネルリソースを決定するための方法は、これまで図３乃至図７を参照して詳細に説明されてきた。以下では、図８乃至図９を参照して、本発明の一実施例に従った制御チャネルリソースを決定するためのユーザ装置について説明する。
【００５３】
図８は、本発明の一実施例に従って制御チャネルリソースを決定するためのユーザ装置５００の概略ブロック図である。図８に示されるように、ユーザ装置は、基地局によって送信され、下りリンクデータチャネルのスケジューリング情報を運ぶ下りリンク制御チャネルを検出するように構成された検出モジュール５１０であり、下りリンク制御チャネルは少なくとも１つの制御チャネル論理要素によって形成され、少なくとも１つの制御チャネル論理要素は少なくとも１つのアンテナポートにマップされている、検出モジュール５１０と；検出モジュール５１０によって成功裏に検出された下りリンク制御チャネルの第１の制御チャネル論理要素に対応する第１のアンテナポートのアンテナポート情報とオフセットのうちの少なくとも１つと、第１の制御チャネル論理要素のシーケンス情報、を取得するように構成された取得モジュール５２０と；取得モジュール５２０によって取得された、シーケンス番号情報と、アンテナポート情報とオフセット情報のうちの少なくとも１つ、に従って、第１の制御チャネルリソースを決定するように構成された第１の決定モジュール５３０であり、第１の制御チャネルリソースは、成功裏に検出された下りリンク制御チャネルに対応する下りリンクデータチャネルに関するACK/NACK情報をフィードバックするために使用される、第１の決定モジュール５３０と、を含む。
【００５４】
本発明の実施例に従って制御チャネルリソースを決定するためのユーザ装置を使用することにより、ACK/NACK情報をフィードバックするために使用する制御チャネルリソースは、制御チャネル論理要素のシーケンス番号情報と、制御チャネル論理要素に対応するアンテナポートのアンテナポート情報とオフセットのうちの少なくとも１つとに従って、動的に決定されることができる。加えて、異なる制御チャネルリソースは異なるユーザ装置のために決定されることができる。このようにして、異なるユーザ装置間の制御チャネルリソース上の衝突の問題が回避できる。
【００５５】
本発明の実施例において、シーケンス番号情報は、第１の制御チャネル論理要素のシーケンス番号に関係する情報である。第１の制御チャネル論理要素のシーケンス番号情報は、第１の制御チャネル論理要素における先頭の制御チャネル論理要素のシーケンス番号を含む。理解されるべきは、シーケンス番号情報はまた、第１の制御チャネル論理要素における別の制御チャネル論理要素のシーケンス番号、例えば、第１の制御チャネル論理要素における制御チャネルによって使用されるアンテナポートに関係付けられた制御チャネル論理要素のシーケンス番号、を含み得る、ということである。シーケンス番号はまた、第１の制御チャネル論理要素において制御チャネル論理要素が配置されている仮想リソースブロックまたは物理リソースブロックのシーケンス番号であり得る。例えば、シーケンス番号情報は、第１の制御チャネル論理要素における第１の制御チャネル論理要素が配置されている仮想リソースブロックまたは物理リソースブロックのシーケンス番号か、または、仮想リソースブロックまたは物理リソースブロックのシーケンス番号から変更されたシーケンス番号であり、物理リソースブロックまたは仮想リソースブロックが少なくとも１つの制御チャネル論理要素を含む、変更されたシーケンス番号か、である。例えば、含まれる制御チャネル論理要素の数は、１、２、３、または４である。第１のアンテナポートのアンテナポート情報は、第１のアンテナポートのシーケンス番号と、少なくとも１つのアンテナポートのアンテナポート数量とのうちの１つ、を少なくとも含む。
【００５６】
必要に応じて、検出モジュール５１０は、具体的には、基地局によって送信された下りリンク制御チャネルを検出するように構成され、少なくとも１つの制御チャネル論理要素は、少なくとも１つのアンテナポートの物理リソースブロックにマップされ、取得モジュール５２０は、具体的には、第１の制御チャネル論理要素と物理リソースブロックとの間の予め定義された、または、通知されたマッピング関係に従って、シーケンス番号情報、および／または、アンテナポート情報を取得するように構成される。
【００５７】
必要に応じて、取得モジュール５２０は、具体的には、アンテナポート情報及びオフセットのうちの少なくとも１つを取得するように構成される。ここで、オフセットは、基地局によって動的に通知されるか、または、上位レイヤによって準静的に構成される。
【００５８】
必要に応じて、取得モジュール５２０は、具体的には、アンテナポート情報及びオフセットのうちの少なくとも１つを取得するように構成される。ここで、オフセットは、ユーザ装置及びユーザ装置のセルのうちの少なくとも１つに関して設定される。
【００５９】
本発明の実施例において、アンテナポートは、復調参照信号DMRSアンテナポート（demodulation  reference  signal  DMRS  antenna  port）であり得る。
【００６０】
必要に応じて、図９に示されるように、ユーザ装置５００はさらに、第２の決定モジュール５４０であり、ACK/NACK情報がSORTDを使って送信されるとき、第１の制御チャネル論理要素における先頭の制御チャネル論理要素の次の制御チャネル論理要素のシーケンス番号と、第１のアンテナポートの次の第２のアンテナポートのシーケンス番号とのうちの少なくとも１つに従って、ACK/NACK情報をフィードバックするために使用される第２の制御チャネルリソースを決定するように構成された、第２の決定モジュール５４０を含む。
【００６１】
理解されるべきは、第２の決定モジュール５４０は、第１の制御チャネル論理要素の次の制御チャネル論理要素のシーケンス番号と、第１のアンテナポートのアンテナポート情報及びオフセットのうちの少なくとも１つ、に従って、第２の制御チャネルリソースを決定し得る、ということである。第２の決定モジュール５４０はまた、第２のアンテナポートのシーケンス番号と、第１の制御チャネル論理要素のシーケンス番号情報及びオフセットのうちの少なくとも１つ、に従って、第２の制御チャネルリソースを決定し得る。第２の決定モジュール５４０はさらに、第１の制御チャネル論理要素の次の制御チャネル論理要素のシーケンス番号と、第２のアンテナポートのシーケンス番号、に従って、または、第１の制御チャネル論理要素の次の制御チャネル論理要素のシーケンス番号と、第２のアンテナポートのシーケンス番号と、オフセット、に従って、第２の制御チャネルリソースを決定し得る。
【００６２】
理解されるべきは、第１の決定モジュール５３０によって第１の制御チャネルリソースを決定する処理と同様に、第２の決定モジュール５４０は、第１の制御チャネル論理要素の次の別の制御チャネル論理要素のシーケンス番号と、第１のアンテナポートの次の別のアンテナポートのシーケンス番号、のうちの少なくとも１つ、に従って、ACK/NACK情報をフィードバックするために使用するだ時２の制御チャネルリソースを決定し得る、ということである。確かに、第２の決定モジュール５４０はまた、第１の制御チャネル論理要素のシーケンス番号情報と、第１のアンテナポートのアンテナポート情報と、オフセット、のうちの少なくとも１つ、を参照することによって、第２の制御チャネルリソースを決定し得る。
【００６３】
本発明の実施例に従って制御チャネルリソースを決定するためのユーザ装置５００は、本発明の実施例において提供されるユーザ装置に対応し得る。そして、ユーザ装置５００における検出モジュール５１０、取得モジュール５２０、および第１の決定モジュール５３０は、図３におけるＳ１１０、Ｓ１２０、およびＳ１３０、図４におけるＳ２１０、Ｓ２２０、およびＳ２３０を実行するように構成し得る。そして、ユーザ装置５００における第２の決定モジュール５４０は、図４におけるＳ２４０を実行するように構成し得る。このことについては、簡潔さのため、明細書において、さらには説明されない。
【００６４】
本発明の実施例に従って制御チャネルリソースを決定するためのユーザ装置を使用することにより、ACK/NACK情報をフィードバックするために使用される制御チャネルリソースは、制御チャネル論理要素のシーケンス番号情報と、制御チャネル論理要素に対応するアンテナポートのアンテナポート情報とオフセットのうちの少なくとも１つとに従って、動的に決定され得る。加えて、異なる制御チャネルリソースは、異なるユーザ装置のために決定され得る。このようにして、異なるユーザ装置間の制御チャネルリソース上の衝突の問題は回避できる。
【００６５】
この明細書の中で開示された実施例において説明された例と組み合わせて、ユニットやアルゴリズムステップは、電子機器、または、コンピュータソフトウェアと電子機器との組合せによって実現できる。機能がハードウェアによって実行されるかソフトウェアによって実行されるかは、特定のアプリケーションおよび技術的ソリューションの設計制約条件に依存する。当業者は、各特定のアプリケーションに対して、説明された機能を実現するために異なる方法を使用し得る。しかし、実現（implementation）が本発明の範囲を超えていると考えられてはならない。
【００６６】
当業者によって明らかに理解されることができることとして、便宜上そして簡潔な説明のため、上述のシステム、装置およびユニットの詳細な動作処理については、方法の実施例における対応する処理が参照され、詳細は、再度ここに説明されない。
【００６７】
本発明に従った様々な実施例において、理解されるべきは、開示されたシステム、装置、および方法は、他の方法で実現され得る、ということである。例えば、説明された装置実施例は、単なる例示に過ぎない。例えば、ユニット分割は、単なる論理的機能分割に過ぎず、実際の実現においては、他の分割であり得る。例えば、複数のユニットまたは構成要素は、組み合わされ、または、別のシステムに統合され得る。また、ある特徴は無視され、または、実行されない。加えて、表示された、または、議論された相互結合または直接結合または通信接続は、なんらかのインターフェイスを通して実現され得る。装置間またはユニット間の直接結合または通信接続は、電気的、機械的、または他の形式で実現され得る。
【００６８】
分離したパーツとして説明されたユニットは、物理的に離れていてもいなくてもよい。そして、ユニットとして表示されたパーツは、物理的ユニットであってもなくてもよく、１つの場所に配置されていてもよく、複数のネットワークユニット上に分散されていてもよい。本発明の実施例のソリューションの目的を達成するための実際のニーズに従って、明細書におけるユニットの一部または全てが選択され得る。
【００６９】
加えて、本発明の実施例における機能ユニットは、１つの処理ユニットに統合され得、あるいは、ユニットのそれぞれは、物理的に単独で存在し得、あるいは、２以上のユニットが１つのユニットに統合され得る。統合されたユニットは、ハードウェアの形で実現され得、あるいは、ソフトウェア機能ユニットとハードウェアの組み合わせの形で実現され得る。
【００７０】
統合されたユニットが、ソフトウェア機能ユニットの形で実現され、販売され、または、独立した製品として使用されるとき、統合されたユニットは、コンピュータ読み取り可能な記憶媒体に格納され得る。このような理解に基づいて、本発明の技術的ソリューションは本質的に、または先行技術に貢献する部分は、または、技術的ソリューションの全てまたは一部は、ソフトウェア製品の形で実現され得る。コンピュータソフトウェア製品は、記憶媒体内に格納され、本発明の実施例において説明された方法のステップの全てまたは一部をコンピュータデバイスに指示して実行させるための様々な指令を含む。上述の記憶媒体は、USBフラッシュディスク、リムーバブルハードディスク、リードオンリメモリ（ROM,  Read-Only  Memory）、ランダムアクセスメモリ（RAM,  Random  Access  Memory）、磁気ディスク、または光ディスク等の、プログラムコードを格納できるいかなる媒体をも含む。
【００７１】
上述の説明は、本発明の単なる具体的な実施例に過ぎず、本発明の保護範囲を限定することを意図するものではない。本発明の技術的範囲内において、当業者によって容易に想到されるいかなる均等の変更や置換も、本発明の保護範囲内であるべきである。したがって、本発明の保護範囲は、クレームの保護範囲次第である。
【００７２】
本出願は、２０１１年６月２７日に中国専利局に出願された「制御チャネルリソースを決定する方法及びユーザ装置」と題する中国特許出願第２０１１１０１７５２５３．９に基づく優先権を主張するとともに、その全体が参照により本明細書に組み込まれる。
【図１】
0005819524.tif 000002
【図２】
0005819524.tif 000003
【図３】
0005819524.tif 000004
【図４】
0005819524.tif 000005
【図５】
0005819524.tif 000006
【図６】
0005819524.tif 000007
【図７】
0005819524.tif 000008
【図８】
0005819524.tif 000009
【図９】
0005819524.tif 000010